(57)【要約】【課題】コンパクト性を失なうことなくファン効率が向上し、高性能であり、具体的には、排気量が大きく、消費電力が少なく、しかも騒音が少なくてメンテナンスも容易な換気ファンを提供することを課題とする。【解決手段】上面に吸入口と排出口を設けた本体ケース内に、電源部９を設けると共に、フィルター４とファン７とファン駆動用モータ８を設置して成り、前記電源部９は背面側に空スペースを保持して仕切ることにより前記排出口形成側端部の前面側に配置し、前記フィルター４は、前記吸入口形成部の内側天面に配置してその下に広い吸気空間を確保し、前記ファン７は前後両側から吸気可能なものとし、その羽根体として、インペラーを含めて全体を樹脂により一体成形したものを用い、前記ファンは、その回転軸が前記本体ケースの前後方向に向くようにし、且つ、その一部が前記電源部背面の空きスペース内に収まるように配置する。【選択図】図１
2007064607.tif 000002
【特許請求の範囲】
【請求項１】
上面に吸入口と排出口を設けた本体ケース内に、電源部を設けると共に、フィルターとファンとファン駆動用モータを設置して成り、前記電源部は背面側に空スペースを保持して仕切ることにより前記排出口形成側端部の前面側に配置し、前記フィルターは、前記吸入口形成部の内側天面に配置してその下に広い吸気空間を確保し、前記ファンは前後両側から吸気可能なものとし、その羽根体として、インペラーを含めて全体を樹脂により一体成形したものを用い、前記ファンは、その回転軸が前記本体ケースの前後方向に向くようにし、且つ、その一部が前記電源部背面の空きスペース内に収まるように配置したことを特徴とする換気ファン。
【請求項２】
前記インペラーは断面流線形である請求項１に記載の換気ファン。
【発明の詳細な説明】
【技術分野】
【０００１】
本発明は換気ファン、より詳細には、住宅の壁面に取り付けられるなど、露出して設置されることを前提とした室内換気システムに用いられる、コンパクトで高性能であって、メンテナンスが容易な換気ファンに関するものである。
【背景技術】
【０００２】
近時高気密住宅が隆盛であるが、住宅の気密化が進めば進むほど、快適な居住環境を保持する上で、必要とする換気量の確保が大きな問題となる。この換気量の十分な確保のために、換気ファンの性能が大いに関わってくることはいうまでもないところである。
【０００３】
図６乃至図８は、上記用途に用いるものとして従来提案されている換気ファンの構成例を示すもので、それは、上面に吸入口５２と排出口５３とを突出状態に設置した本体ケース５１を設け、本体ケース５１内にフィルター５４と、ファン５７と、ファン５７を駆動するモータ５８を設置し、また、電源部５９を設けて成る。
【０００４】
フィルター５４は、吸入口５２と排出口５３の間において、本体ケース５１を仕切るように縦に配置され、掃除のために、本体ケース５１の正面から装脱可能にされる。ファン５７は、仕切板６０に保持されて排出口５３の下に配置され、その回転軸は、本体ケース５１の左右方向に向けられる。また、モータ５８は、仕切板６０によって本体ケース５１の端部に形成される仕切室６１内に配備され、仕切室６１の手前側が電源室５９とされる。
【０００５】
かかる構成の換気ファンにおいては、吸入口５２の下からフィルター５４に至る部分に十分な吸気空間を確保する必要があり、また、フィルター５４とファン５７との間にも空間を確保する必要がある。そして、ファン５７の回転軸は本体ケース５１の左右方向に向くため、本体ケース５１の奥行きは、ファン５７の外径以上のものとなる。このような要請並びに制約があるために、本体ケース５１はある程度大きなものとならざるを得ない。
【０００６】
また、モータ５８は、狭い仕切室６１内に収まっていて冷却することができないため、耐久性の点で問題があるだけでなく、高い静圧が得られないとか、消費電力が嵩むとかいった問題も提起されている。
【０００７】
なお、同じく家屋内換気のために室内壁に設置する換気ファンとして、特公平５−７１８４８号公報記載のものがある。これは、吸気ダクト接続口と排気ダクト接続口とを設けたボックス内に送風ファンを備えたものであるが、ファンのメンテナンスの点にのみ留意したものであって、フィルター及び広い吸気空間がなく、また、電源部がボックス外に位置するものであり、高い静圧を得るための広い吸気空間の確保、電源部を含めた全体のコンパクト化、羽根体の改良によるモーター効率の向上といった点に留意したものではない。
【特許文献１】特公平５−７１８４８号公報
【発明の開示】
【発明が解決しようとする課題】
【０００８】
本発明は、上記従来の換気ファンの持つ欠点を除去すべくなされたもので、コンパクト性を失なうことなくファン効率が向上し、高性能であり、具体的には、排気量が大きく、消費電力が少なく、しかも騒音が少なくてメンテナンスも容易な換気ファンを提供することを課題とする。
【課題を解決するための手段】
【０００９】
上記課題を解決するための請求項１に係る発明は、上面に吸入口と排出口を設けた本体ケース内に、電源部を設けると共に、フィルターとファンとファン駆動用モータを設置して成り、前記電源部は背面側に空スペースを保持して仕切ることにより前記排出口形成側端部の前面側に配置し、前記フィルターは、前記吸入口形成部の内側天面に配置してその下に広い吸気空間を確保し、前記ファンは前後両側から吸気可能なものとし、その羽根体として、インペラーを含めて全体を樹脂により一体成形したものを用い、前記ファンは、その回転軸が前記本体ケースの前後方向に向くようにし、且つ、その一部が前記電源部背面の空きスペース内に収まるように配置したことを特徴とする。
【００１０】
好ましくは、前記インペラーは断面流線形とする。
【発明の効果】
【００１１】
本発明に係る換気ファンにおいては、コンパクト性を失なうことなく、フィルターの下に十分に広い吸気空間が確保されて高い静圧が得られ、また、電源部が背後に空スペースを保持して前面側端部に配置され、その背後スペースにファンの一部が収まる位置関係にあるため、モータの空冷が可能となってその耐久性が向上し、全体的にも耐久性があって、騒音の少ない換気ファンが得られる効果がある。
【００１２】
また、インペラーを含む羽根体の全体を樹脂によって一体成形することにより、軽量で、消費電力を低減してモータ効率を向上させることができ、特に、インペラーを断面流線形に精巧に形成できるため、空気掴持力が高まってモータ効率を向上させ、騒音を低減し得る効果がある。
【発明を実施するための最良の形態】
【００１３】
本発明を実施するための最良の形態について、添付図面に依拠して説明する。図１乃至図３は本発明に係る換気ファンの構成を示すもので、図中１は本体ケースで、上面に吸入口２と排出口３とを突出状態に備える。吸入口２と排出口３にはそれぞれ、従来の場合と同様にダクトが接続される。従来の吸入口と排出口は、一般に直径が１２５ｍｍであったが、本発明における吸入口２と排出口３の直径はそれよりも大きくし、好ましくは１５０ｍｍ程度とする。
【００１４】
本発明に係る換気ファンにおいては、フィルター４は、本体ケース１の吸入口２形成部の内側天面に設置され、フィルター４の下に十分に広い吸気空間５が確保される。かくして、本体ケース１内において、高い静圧が得られる。フィルター４は、本体ケース１の正面上部に配置されるフィルター装脱口から、水平状態にて引抜き、また、装入可能にされる。
【００１５】
本体ケース１内には電源部９が設けられ、また、ファン７及びファン７を駆動するモータ８が配備される。電源部９は、背面に空きスペースを保持して、排出口３設置側端部の前面側に仕切られて配置され、ファン７は、その回転軸が本体ケース１の前後方向に向き、且つ、その一部が電源部９の後側の空きスペース内に収まるようにして設置される。
【００１６】
ファン７には、例えば、多数のインペラー１０を２列に配して一体に成形した羽根体１１を用いることが好ましい（図４）。羽根体１１は樹脂製で、全体が一体成形される。そのようにすることにより、そのインペラー１０の断面を精巧な流線形とすることが可能となる。その結果、インペラー１０の空気掴持能力が向上し、風切り音が減少するだけでなく、モータ効率がアップする。
【００１７】
羽根体１１は、モータ８の駆動軸に固定されて羽根体１１を支持する一対の回転支持板１２によって支持されるが、その両側から吸気できるように、各回転支持板１２には多数の吸気口１３が形成され、以て、フィルター４を経て吸入空間５に入った空気は、回転支持板１２、１２間に吸気される。この吸気口１３の存在により、十分に大きな換気量が得られることになる。
【００１８】
本体ケース１の背面には、壁面据え付けのための引掛金具１５が設置されるが、更に背面の下端部に、角度調整部材１６が取り付けられる。この角度調整部材１６は、本体ケース１を壁面に対して平行に据え付け可能にするためのもので、例えばネジ込み式として、その突出度を変更可能にすることもある。
【００１９】
本発明に係る換気ファンは上記構成であるため、フィルター４の下に十分に広い吸気空間５ができて高い静圧が得られ、また、電源部９が背後に空スペースを保持して前面側端部に配置され、その背後スペースにファンの一部が収まる位置関係にあるため、モータ８の空冷が可能となってその耐久性が向上する。その結果、全体がコンパクトで、耐久性があり、しかも騒音が少ない換気ファンが得られる。
【００２０】
更に、インペラー１０を含む羽根体１１の全体が、樹脂による一体成形によって製造されるため、軽量で、消費電力を低減してモータ効率を向上させることができる。特に、インペラー１０を断面流線形に精巧に形成できるため、空気掴持力が高まってモータ効率が向上し、且つ、騒音が減少する。
【００２１】
本発明の有用性を確認するための性能比較試験を行なった。試験は、本発明の実施品と、図６乃至図８に示す従来のタイプの比較品について、静圧と流量との関連を見る排気量比較試験、消費電力と流量との関連を見る消費電力試験、及び騒音値と流量との関連を見る騒音値比較試験の３種を行なった。なお、本体ケースのサイズは、実施品の方が高さ及び奥行きにおいて少し大（高さが約４０ｍｍ、奥行きが約１５ｍｍ大きい）となっているが、それによってコンパクト性が失われる訳ではない。また、羽根体１１を樹脂製にしたこと等により、重量は逆に、従来品（１０ｋｇ）より２ｋｇ軽量になった。
【００２２】
2007064607.tif 000003
排気量比較試験の結果は上記のとおりであり、また、図５（Ａ）のグラフに示すとおりであって、静圧値０のときの上記実施品の流量は４８８ｍ３／ｈであるのに対し、従来品の５０Ｈｚ時における流量は２４０ｍ３／ｈ、同６０Ｈｚ時における流量は２２０ｍ３／ｈに過ぎず、実施品における流量は、５０Ｈｚ時においては約２倍、６０Ｈｚ時においては、約２．２倍従来より多いことが分かる。
【００２３】
2007064607.tif 000004
消費電力試験の結果は上記のとおりであり、また、図５（Ｂ）のグラフに示すとおりであって、排気量２００ｍ３／ｈのときの実施品の消費電力は５２．５Ｗであるのに対し、従来品の５０Ｈｚ時における消費電力は６７Ｗ、同６０Ｈｚ時における消費電力は７８Ｗで、実施品における消費電力は、５０Ｈｚ時においては従来品の約０．７８倍、６０Ｈｚ時においては従来製品の約０．６７倍で済むことが分かる。
【００２４】
2007064607.tif 000005
騒音値比較試験の結果は上記のとおりであり、また、図５（Ｃ）のグラフに示すとおりであって排気量２００ｍ３／ｈのときの、実施品の騒音値は２６．２ｄＢであるのに対し、従来の５０Ｈｚ時における騒音値は４６．１ｄＢ、同６０Ｈｚ時における騒音値は４７．１ｄＢで、実施品における騒音値は、５０Ｈｚ時においては従来品の約０．５７倍、６０Ｈｚ時においては従来品の約０．５６倍に過ぎないことが分かる。
【００２５】
上記各試験の結果から明らかなように、本発明に係る換気ファンは、従来の換気ファンと余り変わらないコンパクトなサイズであって、消費電力及び騒音を低く抑えつつ、排気量の増大を実現し得る非常に有用なものである。
【００２６】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００２７】
【図１】本発明に係る換気ファンの一実施例の正面板を取り除いた状態の斜視図である。
【図２】本発明に係る換気ファンの一実施例の側面図である。
【図３】本発明に係る換気ファンの一実施例の平面図である。
【図４】本発明に係る換気ファンの一実施例における羽根車を示す図である。
【図５】本発明に係る換気ファンの性能試験の結果を示すグラフである。
【図６】従来提案されている換気ファンの一構成例の正面図である。
【図７】従来提案されている換気ファンの一構成例の側面図である。
【図８】従来提案されている換気ファンの一構成例の一部切截平面図である。
【符号の説明】
【００２８】
１    本体ケース
２    吸入口
３    排出口
４    フィルター
５    吸気空間
７    ファン
８    モータ
９    電源部
１０    インペラー
１１    羽根体
１２    回転支持板
１３    吸気口
１５    引掛金具
１６    角度調整部材
【図１】
2007064607.tif 000006
【図２】
2007064607.tif 000007
【図３】
2007064607.tif 000008
【図４】
2007064607.tif 000009
【図５】
2007064607.tif 000010
【図６】
2007064607.tif 000011
【図７】
2007064607.tif 000012
【図８】
2007064607.tif 000013